(57)【特許請求の範囲】
【請求項１】
広告識別情報と広告の配信先ユーザのユーザ識別情報とを対応付けて記憶するとともに、前記ユーザの属する地域を一定の地図領域に区分した分析エリアとして記憶する記憶部と、
ユーザ端末から広告の配信要求を受信し、当該要求に対応した広告データを配信する配信部と、
前記配信部が配信した前記広告データの広告識別情報と、当該広告データの配信先のユーザを示すユーザ識別情報とを対応付けて前記記憶部に書き込む履歴更新部と、
分析対象となる広告データの広告識別情報に対応して前記記憶部に記憶されているユーザ識別情報と、当該ユーザ識別情報のユーザが属する分析エリアとに基づいて、前記広告識別情報が示す広告を閲覧したユーザを前記分析エリア毎に特定し、特定した前記ユーザのうち所定の条件に合致する前記ユーザの数を前記分析エリア毎に算出する分析部と、
地図画像上に、前記分析部により算出された前記分析エリア毎の前記ユーザの数に応じた情報を、当該分析エリアに対応した地図上の領域に表示した分析結果表示画像を生成し、出力する分析結果出力部と、
を備え、
前記記憶部は、前記広告識別情報と広告主識別情報との対応付けを記憶し、
前記分析部は、分析対象となる広告主の広告主識別情報に対応した前記広告識別情報を前記記憶部から読み出し、読み出した広告識別情報に対応して前記記憶部に記憶されているユーザ識別情報と、当該ユーザ識別情報のユーザが属する分析エリアとに基づいて、前記広告識別情報が示す広告を閲覧したユーザを前記分析エリア毎に特定し、特定した前記ユーザのうち所定の条件に合致する前記ユーザの数を前記分析エリア毎に算出する、
ことを特徴とする広告アクセス分析装置。
【請求項２】
前記記憶部は、前記広告主の店舗の所在地を記憶しており、
前記分析結果出力部は、分析対象となる前記広告データによる分析を要求した広告主の店舗の所在地を前記記憶部から読み出し、読み出した前記所在地を中心とした地図画像上に、前記分析部により得られた前記分析エリア毎の前記ユーザに関する情報の分析結果を表す情報を、当該分析エリアに対応した地図上の領域に表示した分析結果表示画像を生成し、出力する、
ことを特徴とする請求項１に記載の広告アクセス分析装置。
【請求項３】
前記記憶部は、前記広告主の店舗の所在地を記憶しており、
前記分析結果出力部は、前記記憶部から読み出した前記分析対象の広告主の店舗の所在地を中心とした地図画像上に、前記分析部により得られた前記分析エリア毎の前記ユーザに関する情報の分析結果を表す情報を、当該分析エリアに対応した地図上の領域に表示した分析結果表示画像を生成し、出力する、
ことを特徴とする請求項１に記載の広告アクセス分析装置。
【請求項４】
前記記憶部は、前記広告主の商圏エリアを記憶しており、
前記分析部は、前記記憶部から前記分析対象となる広告主の商圏エリアを読み出し、読み出した前記商圏エリアに含まれる前記分析エリアについてのみ、前記所定の条件に合致する前記ユーザの数を算出する、
ことを特徴とする請求項１から請求項３のいずれか１項に記載の広告アクセス分析装置。
【請求項５】
前記所定の条件は、前記分析対象となる広告、または、前記分析対象となる広告主の広告を閲覧した全ユーザである、
ことを特徴とする請求項１から請求項４のいずれか１項に記載の広告アクセス分析装置。
【請求項６】
前記所定の条件は、性別または年齢であり、
前記記憶部は、前記ユーザの年齢または性別を記憶し、
前記分析部は、特定した前記ユーザの年齢または性別を前記記憶部から読み出して前記所定の条件に合致するかを判断する、
ことを特徴とする請求項１から請求項４のいずれか１項に記載の広告アクセス分析装置。
【請求項７】
前記履歴更新部は、前記配信部が配信した前記広告データの広告識別情報と、当該広告データの配信先の前記ユーザ端末から受信したユーザ識別情報と、配信日時とを対応付けて前記記憶部に書き込み、
前記分析部は、分析対象となる広告の広告識別情報に対応して前記記憶部に記憶されているユーザ識別情報及び配信日時と、当該ユーザ識別情報のユーザが属する分析エリアとに基づいて、異なる期間に前記広告識別情報が示す広告を閲覧したユーザを前記分析エリア毎に特定し、特定した前記ユーザのうち所定の条件に合致する前記ユーザの数を前記分析エリア毎に算出し、
分析結果出力部は、地図画像上に、前記分析部により算出された前記分析エリア毎の前記ユーザの数の前記異なる期間における変化に応じた情報を、当該分析エリアに対応した地図上の領域に表示した分析結果表示画像を生成し、出力する、
ことを特徴とする請求項１から請求項４のいずれか１項に記載の広告アクセス分析装置。
【請求項８】
前記記憶部は、前記広告主の商圏エリアを記憶しており、
前記所定の条件は、広告データの配信回数または配信頻度であり、
前記履歴更新部は、前記配信部が配信した前記広告データの広告識別情報と、当該広告データの配信先の前記ユーザ端末から受信したユーザ識別情報と、配信日時とを対応付けて前記記憶部に書き込み、
前記分析部は、前記記憶部から前記分析対象となる広告主の商圏エリアを読み出し、読み出した前記商圏エリアに属する前記ユーザのユーザ識別情報に対応して前記記憶部に記憶されている配信日時に基づいて広告データの配信回数または配信頻度を取得し、前記所定の条件に合致するユーザの数を前記分析エリア毎に算出する、
ことを特徴とする請求項１から請求項４のいずれか１項に記載の広告アクセス分析装置。
【請求項９】
前記ユーザの数に応じた情報は、数値、グラフ、記号、マーク、図形、キャラクター、または、色であることを特徴とする請求項１から請求項８のいずれか１項に記載の広告アクセス分析装置。
【請求項１０】
広告アクセス分析装置が実行する広告アクセス分析方法であって、
前記広告アクセス分析装置は、ユーザの属する地域を一定の地図領域に区分けした分析エリアとして記憶する記憶部を備えており、
配信部が、ユーザ端末から広告の配信要求を受信し、当該要求に対応した広告データを配信する配信過程と、
履歴更新部が、前記配信過程において配信された前記広告データの広告識別情報と、当該広告データの配信先のユーザを示すユーザ識別情報とを対応付けて前記記憶部に書き込む履歴更新過程と、
分析部が、分析対象となる広告データの広告識別情報に対応して前記記憶部に記憶されているユーザ識別情報と、当該ユーザ識別情報のユーザが属する分析エリアとに基づいて、前記広告識別情報が示す広告を閲覧したユーザを前記分析エリア毎に特定し、特定した前記ユーザのうち所定の条件に合致する前記ユーザの数を前記分析エリア毎に算出する分析過程と、
分析結果出力部が、地図画像上に、前記分析部により算出された前記分析エリア毎の前記ユーザの数に応じた情報を、当該分析エリアに対応した地図上の領域に表示した分析結果表示画像を生成し、出力する分析結果出力過程と、
を有し、
前記記憶部は、前記広告識別情報と広告主識別情報との対応付けを記憶し、
前記分析過程においては、分析対象となる広告主の広告主識別情報に対応した前記広告識別情報を前記記憶部から読み出し、読み出した広告識別情報に対応して前記記憶部に記憶されているユーザ識別情報と、当該ユーザ識別情報のユーザが属する分析エリアとに基づいて、前記広告識別情報が示す広告を閲覧したユーザを前記分析エリア毎に特定し、特定した前記ユーザのうち所定の条件に合致する前記ユーザの数を前記分析エリア毎に算出する、
ことを特徴とする広告アクセス分析方法。
【発明の詳細な説明】
【技術分野】
【０００１】
本発明は、インターネット上で提供される電子広告についての広告アクセス分析装置及び広告アクセス分析方法に関する。
【背景技術】
【０００２】
近年、店舗を構える企業では、新聞と一緒に配達される折込チラシにより、店舗周辺の消費者に来店を促すと同時に、インターネットを利用して消費者に広告を配信している広告主も多い。
一方、特許文献１には、企業や店舗が出店を予定している地域周辺についてのユーザのニーズをエリア毎に分析し、地図上に表示させることが記載されている。
【先行技術文献】
【特許文献】
【０００３】
【特許文献１】特開２００８−２６９４９３号公報
【発明の概要】
【発明が解決しようとする課題】
【０００４】
店舗や企業などの広告主は、限られた広告費の中で最も効率よく集客ができるよう、折込チラシの配付にかける経費と、インターネットによる広告配信にかける経費とを配分したいと考えている。そこで、折込チラシの配付地域を決定する参考とするために、インターネット配信した広告の閲覧状況を地域毎に確認したいという要望があった。しかし、上述した特許文献１の技術は、出店前の計画に用いるものであり、すでに店舗を構えている広告主が、インターネット配信した広告の閲覧状況を地域毎に分析するものではない。
【０００５】
本発明は、このような事情を考慮してなされたもので、その目的は、店舗がインターネット配信した広告の閲覧状況を地域毎に分析することができる広告アクセス分析装置及び広告アクセス分析方法を提供することにある。
【課題を解決するための手段】
【０００６】
上記目的を達成するために、請求項１に記載の発明は、広告識別情報と広告の配信先ユーザのユーザ識別情報とを対応付けて記憶するとともに、前記ユーザの属する地域を一定の地図領域に区分けした分析エリアとして記憶する記憶部と、ユーザ端末から広告の配信要求を受信し、当該要求に対応した広告データを配信する配信部と、前記配信部が配信した前記広告データの広告識別情報と、当該広告データの配信先のユーザを示すユーザ識別情報とを対応付けて前記記憶部に書き込む履歴更新部と、分析対象となる広告データの広告識別情報に対応して前記記憶部に記憶されているユーザ識別情報と、当該ユーザ識別情報のユーザが属する分析エリアとに基づいて、前記広告識別情報が示す広告を閲覧したユーザを前記分析エリア毎に特定し、特定した前記ユーザのうち所定の条件に合致する前記ユーザの数を前記分析エリア毎に算出する分析部と、地図画像上に、前記分析部により算出された前記分析エリア毎の前記ユーザの数に応じた情報を、当該分析エリアに対応した地図上の領域に表示した分析結果表示画像を生成し、出力する分析結果出力部と、を備え、前記記憶部は、前記広告識別情報と広告主識別情報との対応付けを記憶し、前記分析部は、分析対象となる広告主の広告主識別情報に対応した前記広告識別情報を前記記憶部から読み出し、読み出した広告識別情報に対応して前記記憶部に記憶されているユーザ識別情報と、当該ユーザ識別情報のユーザが属する分析エリアとに基づいて、前記広告識別情報が示す広告を閲覧したユーザを前記分析エリア毎に特定し、特定した前記ユーザのうち所定の条件に合致する前記ユーザの数を前記分析エリア毎に算出する、ことを特徴とする広告アクセス分析装置である。
【０００７】
また、請求項２に記載の発明は、請求項１に記載の広告アクセス分析装置であって、前記記憶部は、前記広告主の店舗の所在地を記憶しており、前記分析結果出力部は、分析対象となる前記広告データによる分析を要求した広告主の店舗の所在地を前記記憶部から読み出し、読み出した前記所在地を中心とした地図画像上に、前記分析部により得られた前記分析エリア毎の前記ユーザに関する情報の分析結果を表す情報を、当該分析エリアに対応した地図上の領域に表示した分析結果表示画像を生成し、出力する、ことを特徴とする。
【０００８】
また、請求項３に記載の発明は、請求項１に記載の広告アクセス分析装置であって、前記記憶部は、前記広告主の店舗の所在地を記憶しており、前記分析結果出力部は、前記記憶部から読み出した前記分析対象の広告主の店舗の所在地を中心とした地図画像上に、前記分析部により得られた前記分析エリア毎の前記ユーザに関する情報の分析結果を表す情報を、当該分析エリアに対応した地図上の領域に表示した分析結果表示画像を生成し、出力する、ことを特徴とする。
【０００９】
また、請求項４に記載の発明は、請求項１から請求項３のいずれか１項に記載の広告アクセス分析装置であって、前記記憶部は、前記広告主の商圏エリアを記憶しており、前記分析部は、前記記憶部から前記分析対象となる広告主の商圏エリアを読み出し、読み出した前記商圏エリアに含まれる前記分析エリアについてのみ、前記所定の条件に合致する前記ユーザの数を算出する、ことを特徴とする。
【００１０】
また、請求項５に記載の発明は、請求項１から請求項４のいずれか１項に記載の広告アクセス分析装置であって、前記所定の条件は、前記分析対象となる広告、または、前記分析対象となる広告主の広告を閲覧した全ユーザである、ことを特徴とする。
【００１１】
また、請求項６に記載の発明は、請求項１から請求項４のいずれか１項に記載の広告アクセス分析装置であって、前記所定の条件は、性別または年齢であり、前記記憶部は、前記ユーザの年齢または性別を記憶し、前記分析部は、特定した前記ユーザの年齢または性別を前記記憶部から読み出して前記所定の条件に合致するかを判断する、ことを特徴とする。
【００１２】
また、請求項７に記載の発明は、請求項１から請求項４のいずれか１項に記載の広告アクセス分析装置であって、前記履歴更新部は、前記配信部が配信した前記広告データの広告識別情報と、当該広告データの配信先の前記ユーザ端末から受信したユーザ識別情報と、配信日時とを対応付けて前記記憶部に書き込み、前記分析部は、分析対象となる広告の広告識別情報に対応して前記記憶部に記憶されているユーザ識別情報及び配信日時と、当該ユーザ識別情報のユーザが属する分析エリアとに基づいて、異なる期間に前記広告識別情報が示す広告を閲覧したユーザを前記分析エリア毎に特定し、特定した前記ユーザのうち所定の条件に合致する前記ユーザの数を前記分析エリア毎に算出し、分析結果出力部は、地図画像上に、前記分析部により算出された前記分析エリア毎の前記ユーザの数の前記異なる期間における変化に応じた情報を、当該分析エリアに対応した地図上の領域に表示した分析結果表示画像を生成し、出力する、ことを特徴とする。
【００１３】
また、請求項８に記載の発明は、請求項１から請求項４のいずれか１項に記載の広告アクセス分析装置であって、前記記憶部は、前記広告主の商圏エリアを記憶しており、前記所定の条件は、広告データの配信回数または配信頻度であり、前記履歴更新部は、前記配信部が配信した前記広告データの広告識別情報と、当該広告データの配信先の前記ユーザ端末から受信したユーザ識別情報と、配信日時とを対応付けて前記記憶部に書き込み、前記分析部は、前記記憶部から前記分析対象となる広告主の商圏エリアを読み出し、読み出した前記商圏エリアに属する前記ユーザのユーザ識別情報に対応して前記記憶部に記憶されている配信日時に基づいて広告データの配信回数または配信頻度を取得し、前記所定の条件に合致するユーザの数を前記分析エリア毎に算出する、ことを特徴とする。
【００１４】
また、請求項９に記載の発明は、請求項１から請求項８のいずれか１項に記載の広告アクセス分析装置であって、前記ユーザの数に応じた情報は、数値、グラフ、記号、マーク、図形、キャラクター、または、色であることを特徴とする。
【００１５】
また、請求項１０に記載の発明は、広告アクセス分析装置が実行する広告アクセス分析方法であって、前記広告アクセス分析装置は、ユーザの属する地域を一定の地図領域に区分けした分析エリアとして記憶する記憶部を備えており、配信部が、ユーザ端末から広告の配信要求を受信し、当該要求に対応した広告データを配信する配信過程と、履歴更新部が、前記配信過程において配信された前記広告データの広告識別情報と、当該広告データの配信先のユーザを示すユーザ識別情報とを対応付けて記憶部に書き込む履歴更新過程と、分析部が、分析対象となる広告データの広告識別情報に対応して前記記憶部に記憶されているユーザ識別情報と、当該ユーザ識別情報のユーザが属する分析エリアとに基づいて、前記広告識別情報が示す広告を閲覧したユーザを前記分析エリア毎に特定し、特定した前記ユーザのうち所定の条件に合致する前記ユーザの数を前記分析エリア毎に算出する分析過程と、分析結果出力部が、地図画像上に、前記分析部により算出された前記分析エリア毎の前記ユーザの数に応じた情報を、当該分析エリアに対応した地図上の領域に表示した分析結果表示画像を生成し、出力する分析結果出力過程と、を有し、前記記憶部は、前記広告識別情報と広告主識別情報との対応付けを記憶し、前記分析過程においては、分析対象となる広告主の広告主識別情報に対応した前記広告識別情報を前記記憶部から読み出し、読み出した広告識別情報に対応して前記記憶部に記憶されているユーザ識別情報と、当該ユーザ識別情報のユーザが属する分析エリアとに基づいて、前記広告識別情報が示す広告を閲覧したユーザを前記分析エリア毎に特定し、特定した前記ユーザのうち所定の条件に合致する前記ユーザの数を前記分析エリア毎に算出する、ことを特徴とする広告アクセス分析方法である。
【発明の効果】
【００１６】
請求項１及び１０の発明によれば、特定の広告主の広告を閲覧したユーザのうち、店舗が指定した分析条件に合致するユーザの数に応じた情報を、地図上に分析エリア毎に表示させることができる。これにより、分析結果を視覚的にわかりやすく提示することができることに加え、地理的な特徴によって、店舗に興味のあるユーザの傾向がどのように変化しているかを把握することができる。
請求項２及び３の発明によれば、広告主の店舗との距離によって、店舗に興味のあるユーザの傾向がどのように変化しているかを把握することができる。
請求項４の発明によれば、広告主が商圏エリアとしている分析エリアのみについて、ユーザに関する情報の分析結果を表示させるため、折込チラシの配付域との比較が容易になる。
請求項５の発明によれば、特定の広告、あるいは、特定の広告主の広告を閲覧したユーザの人数が地理的な特徴によってどのように変化しているかの傾向を把握することができる。
請求項６の発明によれば、特定の広告、あるいは、特定の広告主の広告を閲覧したユーザの年齢や性別が地理的な特徴によってどのように変化しているかの傾向を把握することができる。
請求項７の発明によれば、例えば、販促などを行った前後で、ユーザのある広告配信サービスの利用頻度や利用回数が地理的な特徴によってどのように変化しているかの傾向を把握することができる。
請求項８の発明によれば、広告配信サービスの利用頻度や利用回数が地理的な特徴によってどのように変化しているかの傾向を把握することができる。
請求項９の発明によれば、分析結果を視覚的にわかりやすく提示することができる。
【図面の簡単な説明】
【００１７】
【図１】本発明の一実施形態による広告アクセス分析システムの構成を示す機能ブロック図である。
【図２】同実施形態による広告主データのデータ構成例を示す図である
【図３】同実施形態による広告管理データのデータ構成例を示す図である。
【図４】同実施形態による会員データのデータ構成例を示す図である。
【図５】同実施形態による配信履歴データのデータ構成例を示す図である。
【図６】同実施形態によるクーポン発行履歴データのデータ構成例を示す図である。
【図７】同実施形態による買い物履歴データのデータ構成例を示す図である。
【図８】同実施形態による広告アクセス分析装置におけるサービス登録ユーザの広告閲覧処理フローを示す図である。
【図９】同実施形態による広告アクセス分析装置におけるサービス非登録ユーザの広告閲覧の処理フローを示す図である。
【図１０】同実施形態による広告アクセス分析装置における分析処理フローを示す図である。
【図１１】同実施形態による広告アクセス分析装置における分析処理フローを示す図である。
【図１２】同実施形態による広告アクセス分析装置における分析処理フローを示す図である。
【図１３】同実施形態による広告アクセス分析装置における分析処理フローを示す図である。
【図１４】同実施形態による広告アクセス分析装置における分析処理フローを示す図である。
【図１５】同実施形態による広告アクセス分析装置における分析処理フローを示す図である。
【図１６】同実施形態による広告アクセス分析装置における分析処理フローを示す図である。
【図１７】同実施形態による広告アクセス分析装置における分析処理フローを示す図である。
【図１８】同実施形態による分析結果表示画面の表示イメージを示す図である。
【図１９】同実施形態による分析結果表示画面の表示イメージを示す図である。
【図２０】同実施形態による分析結果表示画面の表示イメージを示す図である。
【図２１】同実施形態による分析結果表示画面の表示イメージを示す図である。
【図２２】他の実施形態による広告アクセス分析システムの構成を示す機能ブロック図である。
【図２３】他の実施形態による広告アクセス分析装置の分析部が出力する分析結果の例を示す図である。
【発明を実施するための形態】
【００１８】
以下、図面を参照しながら本発明の実施形態を詳細に説明する。
図１は、本発明の一実施形態による広告アクセス分析システムの構成を示すブロック図である。同図において、広告アクセス分析システムは、広告配信業者が保有する広告アクセス分析装置１と、消費者であるユーザが保有するユーザ端末２と、広告主の広告主端末３、クーポン発行端末４、及び、ＰＯＳ（Point Of Sale）システム５とをネットワークＮを介して接続して構成される。同図においては、ユーザ端末２、広告主端末３、クーポン発行端末４、及び、ＰＯＳシステム５をそれぞれ１台のみ記載しているが、複数台がネットワークＮに接続される。ここでは、広告主を販売や各種サービスなどを提供する企業の店舗として説明する。
【００１９】
広告配信業者は、ユーザに広告配信サービスを提供する。広告配信サービスとは、ユーザが所望の店舗の広告データを広告アクセス分析装置１からユーザ端末２に配信するサービスである。広告データは、例えば、一部の地域に新聞と一緒に配達された折込チラシの画像データである。広告配信サービスは、会員登録をしなくても利用可能であるが、会員登録したユーザには、登録のインセンティブとして広告データの閲覧によってポイントを付与したり、情報を配信したりするなどの会員サービスを提供することができる。ポイントとは、ユーザに対して特典を提供するために使用する情報であり、ここでは、買い物や各種サービスなどの料金の支払に利用できるクーポンを提供する用途に使用する。クーポンは、店舗に設置されているクーポン発行端末４により発行される。このほか、クーポンに相当するＱＲコード等の２次元バーコードや、電子クーポンなどをユーザの端末に電子メール等によって配信する方法でもよい。
【００２０】
このように広告配信業者は、ユーザに対して広告配信サービスを提供しながら、ユーザ毎の広告アクセス状況を収集する。その一方、広告主である店舗に対しては、ユーザから収集した広告アクセス分析サービスを提供する。広告アクセス分析サービスとは、店舗の広告データを閲覧したユーザに関する情報を、ユーザの居住地域（ユーザが属する地域）毎に分析した結果を提供するサービスである。広告アクセス分析装置１は、広告データを要求したユーザの属性を居住地域毎に区分して分析し、分析結果を表す情報を地図上にマッピングした画像を広告主端末３に表示させる。これにより、分析結果をエリア毎に可視化して表示させることができる。ここでは、分析結果の集計単位となるエリア（居住地域）である分析エリアを、郵便番号に対応した区域である郵便番号区域として説明する。
また、広告配信サービスに会員登録しているユーザを「会員」、広告配信サービスに会員登録していないユーザを「非会員」とも記載する。
【００２１】
広告アクセス分析装置１は、例えば、１台または複数台のサーバ等で実現することができ、通信部１１、記憶部１２、及び、処理部１３を備えて構成される。
通信部１１は、ネットワークＮを介して情報を送受信する。記憶部１２は、管理情報記憶部１２１、履歴情報記憶部１２２、及び、地図情報記憶部１２３を備える。
【００２２】
管理情報記憶部１２１は、広告主データ、会員データ、広告管理データなどの管理データを記憶する。広告主データは、各店舗に関する情報を示す。会員データは、広告配信サービスの会員となっているユーザに関する情報を示す。広告管理データは、配信する広告データを管理する情報である。
【００２３】
履歴情報記憶部１２２は、配信履歴データ、クーポン発行履歴データ、買い物履歴データなどの履歴データを記憶する。配信履歴データは、ユーザに広告データを配信した履歴を示す情報である。クーポン発行履歴データは、ユーザに発行したクーポンに関する情報を示す。買い物履歴データは、店舗で買い物したユーザに関する情報を示す。
【００２４】
地図情報記憶部１２３は、地図画像データ、郵便番号区域地図情報、基礎統計情報、変換情報など地図や地域に関するデータを記憶する。地図画像データは、地図のイメージデータである。地図画像データが示す地図の画像上の位置は、緯度及び経度と対応付けられている。郵便番号区域地図情報は、各郵便番号の郵便番号区域に対応した地図の画像上の領域を示す。基礎統計情報は、郵便番号区域毎の全体人口や、男女別、年齢別の人口などの情報を示す。変換情報は、郵便番号と、町丁目と、緯度及び経度との対応付けを示す。町丁目とは、都道府県、市、区、郡、町、村、大字、丁目、字などである。
【００２５】
処理部１３は、会員登録部１３１、所在地取得部１３２、広告配信部１３３、クーポン引換部１３４、履歴更新部１３５、履歴受信部１３６、分析部１３７、分析結果出力部１３８を備える。
会員登録部１３１は、会員登録をするユーザのユーザ端末２から会員登録情報を受信し、受信した会員登録情報に基づいて会員データを登録する。所在地取得部１３２は、会員登録をしていないユーザの所在地を収集する。広告配信部１３３は、ユーザ端末２から広告の配信要求を受信し、管理情報記憶部１２１に記憶されている広告管理データに基づいて広告データを読み出し、ユーザ端末２へ返送する。クーポン引換部１３４は、会員登録しているユーザへのクーポン発行処理を行なう。履歴更新部１３５は、広告配信部１３３が広告を配信した履歴を履歴情報記憶部１２２の配信履歴データに書き込む。履歴更新部１３５は、店舗に設置されているクーポン発行端末４からクーポンが発行された旨の通知を受信し、履歴情報記憶部１２２内のクーポン発行履歴に書き込む。履歴受信部１３６は、ＰＯＳシステム５から店舗で買い物をした会員の情報を受信し、履歴情報記憶部１２２に記憶されている買い物履歴データに書き込む。
【００２６】
分析部１３７は、広告主端末３から分析要求を受信し、履歴情報記憶部１２２に記憶されている会員データあるいは履歴データに基づいて、分析エリア毎に分析条件に合致するユーザの人数をカウントする。分析結果出力部１３８は、地図情報記憶部１２３から店舗の住所を中心とした所定範囲内の地図画像データを読み出し、分析部１３７により得られた分析エリア毎のユーザの人数を表す情報を、当該分析エリアに対応した地図上の領域に表示するための分析結果表示画像を生成し、広告主端末３に出力する。分析結果表示画像は、地図上の各分析エリアの領域の上に、当該分析エリアの分析結果の数値、あるいは、分析結果を示すグラフを表示させた画像、あるいは、地図上の各分析エリアの領域を、当該地域の分析結果の数値に応じた色で表した画像である。また、このように、ユーザの人数を表す情報を数、グラフ、色とするほか、記号、マーク、キャラクター、図形などとしてもよい。
【００２７】
ユーザ端末２は、例えば、パーソナルコンピュータや、携帯電話端末などであり、通信部２１、入力部２２、表示部２３、処理部２４及び記憶部２５を備える。
通信部２１は、ネットワークＮを介して情報を送受信する。入力部２２は、キーボードやマウス、ボタン、タッチパネルなどであり、ユーザの操作による情報の入力を受ける。表示部２３は、ＬＣＤ（Liquid Crystal Display）やＣＲＴ（cathode ray tube）などのディスプレイである。処理部２４は、通信部２１を介して広告アクセス分析装置１から受信した画面データをウェブブラウザにより表示部２３へ表示させたり、ウェブブラウザの画面上で入力部２２により入力された指示に従って、通信部２１を介して広告アクセス分析装置１に情報を送信する。記憶部２５は、各種情報を記憶する。
【００２８】
広告主端末３は、例えば、パーソナルコンピュータであり、通信部３１、入力部３２、表示部３３、及び、処理部３４を備える。
通信部３１は、ネットワークＮを介して情報を送受信する。入力部３２は、キーボードやマウスなどであり、ユーザの操作による情報の入力を受ける。表示部３３は、ＬＣＤやＣＲＴなどのディスプレイである。処理部３４は、通信部３１を介して広告アクセス分析装置１から受信した画面データを表示部３３へ表示させたり、入力部３２によって入力された指示に従って、通信部３１を介して広告アクセス分析装置１に情報を送信する。
【００２９】
図２は、広告アクセス分析装置１の管理情報記憶部１２１に記憶される広告主データのデータ構成例を示す図である。同図に示すように、広告主データは、店舗ＩＤ、店舗名、店舗の住所、店舗の所在地の緯度経度、カテゴリ、商圏エリアなどの情報を含むレコードにより構成される。
店舗ＩＤは、店舗を一意に特定する。なお、同じ企業に複数店舗がある場合、店舗ＩＤの所定部分、例えば、先頭から５文字目までを企業を特定する企業ＩＤとして用いてもよいし、店舗ＩＤ以外に別途企業ＩＤを設定しても良い。企業ＩＤを設けない場合、店舗名には、さらに企業名が含まれる。商圏エリアは、店舗が商圏としている地域を示し、ここでは、郵便番号が設定される。
【００３０】
図３は、広告アクセス分析装置１の管理情報記憶部１２１に記憶される広告管理データのデータ構成例を示す図である。同図に示すように、広告管理データは、広告データを一意に特定する広告ＩＤ、広告主、広告データの格納場所、広告データの配信期間などを含むレコードにより構成される。広告主には、店舗ＩＤが設定される。
【００３１】
図４は、広告アクセス分析装置１の管理情報記憶部１２１に記憶される会員データのデータ構成例を示す図である。同図に示すように、会員データは、広告配信サービスに加入しているユーザの会員ＩＤ、パスワード、名前、郵便番号、住所、年齢、性別、お気に入り登録店舗、取得ポイント数、クーポン番号、クーポン金額、店舗カード番号などの情報を含むレコードにより構成される。
会員ＩＤは、広告配信サービスに加入しているユーザを一意に特定する。お気に入り登録店舗は、広告を頻繁に閲覧したいなどの目的によってユーザが登録した店舗を示し、店舗ＩＤが設定される。取得ポイント数は、ユーザが現在保有しているポイント数を示す。クーポン番号は、ユーザが利用を予約したクーポンを特定する。店舗カード番号は、ユーザが店舗のサービス会員カードを保有している場合、そのカード番号を示す。
【００３２】
図５は、広告アクセス分析装置１の履歴情報記憶部１２２に記憶される配信履歴データのデータ構成例を示す図である。同図に示すように、配信履歴データは、配信した広告データの広告ＩＤ及び配信日時、当該広告データの配信先のユーザのユーザＩＤ及び居住地域、当該ユーザが広告配信サービスの会員であるか否かのフラグなどの情報を含むレコードにより構成される。なお、ユーザが広告配信サービスの会員であればユーザＩＤとして会員ＩＤが用いられ、非会員であるときには、ユーザ端末２に表示されている地図画像上で自宅がある場所としてユーザにより指定された緯度及び経度にブラウザの番号を付加した所在地情報がユーザＩＤとして用いられる。居住地域には、ユーザの居住地域の郵便番号が設定される。
【００３３】
図６は、広告アクセス分析装置１の履歴情報記憶部１２２に記憶されるクーポン発行履歴データのデータ構成例を示す図である。同図に示すように、クーポン発行履歴データは、クーポンを一意に特定するクーポンＩＤ、クーポンの発行日時、クーポンの発行店舗の店舗ＩＤ、クーポンを発行した会員の会員ＩＤを含むレコードにより構成される。
【００３４】
図７は、広告アクセス分析装置１の履歴情報記憶部１２２に記憶される買い物履歴データのデータ構成例を示す図である。同図に示すように、買い物履歴データは、買い物をしたユーザの店舗カード番号、買い物をした店舗の店舗ＩＤ、買い物をした日時などの情報を含んだレコードにより構成される。
【００３５】
次に、広告アクセス分析システムの処理手順について説明する。なお、広告アクセス分析装置１の処理部１３は、通信部１１を介して他の装置とデータの送受信を行い、ユーザ端末２の処理部２４は、通信部２１を介して他の装置とデータの送受信を行い、広告主端末３の処理部３４は、通信部３１を介して他の装置とデータの送受信を行うが、以下の処理では省略して記載する。
【００３６】
まず、広告アクセス分析装置１の管理情報記憶部１２１に広告主データ及び広告管理データを登録しておく。店舗から新たな広告の配信が広告配信業者に依頼されるたびに、依頼された広告についてのレコードが広告管理データに追加される。
【００３７】
また、ユーザが広告配信サービスへ加入した際、広告アクセス分析装置１の管理情報記憶部１２１に記憶されている会員データに、当該ユーザに関するレコードが追加される。具体的には、ユーザは、ユーザ端末２から広告アクセス分析装置１にアクセスし、入力部２２により会員ＩＤ、パスワード、名前、郵便番号、住所、年齢、店舗カード番号などの登録情報と、登録指示とを入力する。処理部２４は、登録情報及びサービス登録要求を広告アクセス分析装置１に送信する。広告アクセス分析装置１の会員登録部１３１は、ユーザ端末２から受信した登録情報を設定したレコードを会員データに追加する。ユーザは、広告配信サービスへの登録が終了すると、広告を閲覧してポイントを蓄積する。
【００３８】
図８は、広告アクセス分析装置１におけるサービス登録ユーザ（会員）の広告閲覧処理フローを示す。
会員登録をしているユーザは、ユーザ端末２から広告アクセス分析装置１の広告配信サイトにアクセスし、入力部２２により会員ＩＤ及びパスワードと、送信指示を入力する。処理部２４は、入力された会員ＩＤ及びパスワードを広告アクセス分析装置１に送信する。広告アクセス分析装置１の広告配信部１３３は、ユーザ端末２から会員ＩＤ及びパスワードを受信する（ステップＳ１０５）。広告配信部１３３は、受信した会員ＩＤにより管理情報記憶部１２１に登録されている会員データのレコードを特定する。以下、この特定された会員データのレコードを「特定会員データレコード」と記載する。広告配信部１３３は、特定会員データレコードに設定されているパスワードと受信したパスワードとを用いて認証を行う（ステップＳ１１０）。
【００３９】
認証が成功した場合、広告配信部１３３は、特定会員データレコードからユーザの名前、取得ポイント、お気に入り登録店舗の店舗ＩＤを読み出し、さらに、読み出した店舗ＩＤに対応した店舗名を管理情報記憶部１２１に記憶されている広告主データから読み出す。広告配信部１３３は、読み出したユーザの名前、取得ポイント、及び、お気に入り店舗の店舗名と、店舗を検索するためのフィールドを含んだ会員トップページの画面データを生成し、ユーザ端末２に送信する（ステップＳ１１５）。
【００４０】
ユーザ端末２の処理部２４は、広告アクセス分析装置１から返送された会員トップページの画面データを表示部２３に表示させる。ユーザが入力部２２によりお気に入り店舗を選択すると、処理部２４は、選択されたお気に入り店舗の情報を広告アクセス分析装置１に送信する。広告アクセス分析装置１の広告配信部１３３は、選択されたお気に入り店舗の情報を受信すると（ステップＳ１２０：お気に入り店舗選択）、管理情報記憶部１２１に記憶されている広告管理データから、受信した情報が示すお気に入り店舗の店舗ＩＤと、現在の日時が含まれる配信期間とが設定されているレコードを特定する（ステップＳ１２５）。広告配信部１３３は、特定した広告管理データのレコードから格納場所を読み出し、読み出した格納場所から広告データを読み出す。広告配信部１３３は、読み出した広告データを表示させるための広告表示画面データを生成してユーザ端末２に返送する（ステップＳ１３０）。ユーザ端末２の処理部２４は、受信した広告表示画面データを表示部２３に表示させる。
【００４１】
履歴更新部１３５は、配信した広告データの広告ＩＤ、配信日時、会員ＩＤ、居住地域、及び、広告配信サービスの会員であることを示す会員フラグを設定したレコードを履歴情報記憶部１２２に記憶されている配信履歴データに追加する（ステップＳ１３５）。居住地域には、特定会員データレコードから読み出した郵便番号が設定される。
【００４２】
広告アクセス分析装置１の広告配信部１３３は、特定会員データレコードに設定されている取得ポイント数を、所定のポイント数を加算したポイント数に更新する（ステップＳ１４０）。加算するポイント数は、配信した広告データの広告ＩＤ、配信した広告ＩＤに対応した店舗ＩＤ、配信日、配信時間帯などに応じて決定してもよく、一律のポイント数としてもよい。また、配信履歴データにすでに同じ広告データを配信したことを示すレコードが含まれている場合、ポイントを加算しないようにしてもよい。
【００４３】
一方、ステップＳ１１５の処理の後、ユーザがユーザ端末２の入力部２２により検索条件と検索指示を入力した場合、広告アクセス分析装置１の広告配信部１３３は、ユーザ端末２から入力された検索条件を受信する（ステップＳ１２０：検索条件）。検索条件には、例えば、店舗名、郵便番号などを使用することができる。管理情報記憶部１２１に記憶されている広告主データから、検索条件に合致するレコードを特定する。例えば、検索条件が店舗名であれば、店舗名が合致するレコードを特定し、検索条件が郵便番号であれば、商圏エリアに当該郵便番号が含まれるレコードを特定する。広告配信部１３３は、特定した広告主データのレコードから読み出した店舗名、住所、カテゴリ等のリストをユーザ端末２に返送する（ステップＳ１４５）。
【００４４】
ユーザはユーザ端末２の入力部２２により表示部２３に表示されているリストの中から店舗を選択する。広告アクセス分析装置１の広告配信部１３３は、ユーザ端末２からユーザが選択した店舗の情報を受信する（ステップＳ１５０）。広告配信部１３３は、管理情報記憶部１２１に記憶されている広告管理データから、ステップＳ１５０において受信した情報が示す店舗ＩＤと、現在の日時が含まれる配信期間とが設定されているレコードを特定すると（ステップＳ１５５）、ステップＳ１３０からの処理を行なう。
【００４５】
また、ステップＳ１１５の処理の後、ユーザがユーザ端末２の入力部２２によりクーポン引換を入力した場合、広告アクセス分析装置１のクーポン引換部１３４は、ユーザ端末２からクーポン引換要求を受信する（ステップＳ１２０：クーポン引換）。クーポン引換部１３４は、クーポンへの引換ポイント数を入力させるための引換ポイント入力画面データをユーザ端末２に返送する（ステップＳ１６０）。ユーザ端末２の処理部２４は、受信した引換ポイント入力画面データを表示部２３に表示させ、ユーザは、入力部２２により、引換ポイント数を入力する。
【００４６】
広告アクセス分析装置１のクーポン引換部１３４は、ユーザ端末２から入力された引換ポイント数を受信する（ステップＳ１６５）。クーポン引換部１３４は、予め決められた料率に従って引換ポイント数に対応したクーポン金額を決定するとともに、クーポン番号を割り当てる。クーポン引換部１３４は、特定会員データレコードに設定されている取得ポイント数を、引換ポイント数を減算したポイント数に更新し、クーポン番号とクーポン金額を書き込む（ステップＳ１７０）。クーポン引換部１３４は、クーポン金額、クーポン番号、及び、クーポン番号の二次元バーコードを表示するクーポン発行画面データを生成してユーザ端末２に返送する（ステップＳ１７５）。ユーザ端末２の処理部２４は、受信したクーポン発行画面データを表示部２３に表示させる。
【００４７】
ステップＳ１４０またはステップＳ１７５の処理の後、ユーザ端末２から終了を受信しない場合（ステップＳ１８０：ＮＯ）、広告アクセス分析装置１は、ステップＳ１２０からの処理を繰り返し、終了を受信した場合（ステップＳ１８０：ＹＥＳ）、処理を終了する。なお、ステップＳ１４５において送信したリストの中から他の店舗の広告を閲覧する場合、ステップＳ１５０からの処理を繰り返す。
【００４８】
上記処理によりクーポンを予約したユーザは、店舗に出向き、この店舗に設置してあるクーポン発行端末４によりクーポンを発行する。具体的には、ユーザは、店舗に設置されているクーポン発行端末４に、ステップＳ１７５においてユーザ端末２が受信した二次元バーコードを読み込ませるか、ボタン等によりクーポン番号を入力する。クーポン発行端末４は、クーポン番号と店舗ＩＤを広告アクセス分析装置１に送信する。
【００４９】
広告アクセス分析装置１のクーポン引換部１３４は、クーポン発行端末４から受信したクーポン番号により管理情報記憶部１２１に記憶されている会員データのレコードを特定し、特定したレコードからクーポン金額を読み出して返送する。クーポン発行端末４は、受信したクーポン金額のクーポンを印刷する。広告アクセス分析装置１のクーポン引換部１３４は、特定した会員データのレコードからクーポン番号及びクーポン金額を削除する。履歴更新部１３５は、クーポン発行端末４から受信したクーポン番号及び店舗ＩＤと、クーポン発行日時と、特定した会員データのレコードに設定されている会員ＩＤとを設定したレコードを履歴情報記憶部１２２に記憶されているクーポン発行履歴データに追加する。
ユーザは、印刷されたクーポンをレジでの支払い時に店員に渡すことによって、クーポン金額が割り引かれる。
なお、上記形態では、固有のクーポン番号を持ったクーポンを発行し、クーポン番号によりユーザを特定しているが、クーポン発行端末４が、クーポン番号と共にユーザＩＤを広告アクセス分析装置１に送信することにより、ユーザを特定してもよい。
【００５０】
また、店舗でユーザが買い物をして、支払時にサービス会員カードを提示した場合、レジでサービス会員カードを読み取る。これにより、ＰＯＳシステム５に、サービス会員カードから読み取られた店舗カード番号が、支払日時とともに記憶される。ＰＯＳシステム５は、店舗カード番号及び支払日時と、店舗ＩＤを広告アクセス分析装置１に送信する。広告アクセス分析装置１の履歴受信部１３６は、受信した店舗カード番号、支払日時を設定した買い物日時、店舗ＩＤを設定した買い物店舗の情報からなるレコードを履歴情報記憶部１２２に記憶されている買い物履歴データに追加する。
【００５１】
図９は、広告アクセス分析装置１におけるサービス非登録ユーザ（非会員）の広告閲覧の処理フローを示す。
非会員のユーザが、ユーザ端末２から広告アクセス分析装置１の広告配信サイトにアクセスする。ユーザ端末２から受信したアクセス要求に、ユーザの所在地情報が付加されていない場合（ステップＳ２０５：ＮＯ）、広告アクセス分析装置１の所在地取得部１３２は、ユーザの居住地域を選択させるため地域選択画面データを生成し、ユーザ端末２に返送する（ステップＳ２１０）。ユーザ端末２の処理部２４は、地域選択画面データを表示部２３に表示させる。ユーザは、ユーザ端末２の入力部２２により市区町村や郵便番号などの居住地域を選択し、送信指示を入力する。
【００５２】
広告アクセス分析装置１の所在地取得部１３２は、ユーザ端末２から居住地域を受信し（ステップＳ２１５）、受信した居住地域が市区町村を示している場合は、地図情報記憶部１２３に記憶されている変換情報を用いて郵便番号に変換する。所在地取得部１３２は、居住地域の郵便番号に対応した地図の画像上の領域を地図情報記憶部１２３に記憶されている郵便番号区域地図情報から読み出す。所在地取得部１３２は、読み出した地図の画像上の領域を中心とした所定範囲の領域の地図画像データを地図情報記憶部１２３から読み出す。所在地取得部１３２は、読み出した地図画像データを表示するとともに、この地図画像データにより表示された地図の中からユーザの自宅がある位置を選択させるための所在地選択画面データを生成してユーザ端末２に送信する（ステップＳ２２０）。なお居住地域は、例えば、ユーザ端末２が携帯情報端末の場合には、地理情報システム（ＧＩＳ：Geographic Information Systems）等を用いて所定範囲の領域の地図画像データを送信した後、ユーザに正確な居住情報を確認するものであっても良い。
【００５３】
ユーザ端末２の処理部２４は、受信した所在地選択画面データを表示部２３に表示させる。ユーザは、表示部２３に表示されている地図画像の上で、自宅の所在地付近を入力部２２により指定する。これは、例えば、マウスにより地図画像上の所在地の地点をクリックすることにより指定することができる。表示部２３は、指定された地図画像上の位置を選択位置情報として広告アクセス分析装置１に送信する。広告アクセス分析装置１の所在地取得部１３２は、ユーザ端末２から選択位置情報を受信すると（ステップＳ２２５）、受信した選択位置情報が示す画像上の位置を、緯度及び経度に変換する（ステップＳ２３０）。所在地取得部１３２は、サイトの提供者がブラウザを通じてユーザのコンピュータ端末に一時的にデータを書き込んで保存させる仕組みであるＣｏｏｋｉｅにより、変換した緯度及び経度をユーザ端末２の記憶部２５に書き込む（ステップＳ２３５）。以降、ユーザ端末２の処理部２４は、広告アクセス分析装置１の広告配信サイトにアクセスする場合、記憶部２５に記憶されている緯度及び経度と、広告配信サイトの閲覧に使用しているブラウザの番号とからなる所在地情報を送信する。
【００５４】
広告アクセス分析装置１の広告配信部１３３は、店舗を検索するためのフィールドを含んだ検索画面データを生成し、ユーザ端末２に送信する（ステップＳ２４０）。ユーザはユーザ端末２の入力部２２により検索条件と、検索指示を入力する。広告アクセス分析装置１の広告配信部１３３は、ユーザ端末２から検索条件を受信すると（ステップＳ２４５）、図８のステップＳ１４５〜Ｓ１５５、Ｓ１３０と同様の処理を実行する。すなわち、広告配信部１３３は、検索条件に合致する広告主データのレコードから読み出した店舗名、住所、カテゴリ等のリストをユーザ端末２に送信し、このリストの中からユーザが選択した店舗の情報を受信し、選択された店舗の店舗ＩＤと、現在の日時が含まれる配信期間とが設定されている広告管理データのレコードを特定する。そして、特定したレコードにより示される格納場所から広告データを読み出して広告表示画面データを生成し、ユーザ端末２に返送する（ステップＳ２５０〜Ｓ２６５）。ユーザ端末２の処理部２４は、受信した広告表示画面データを表示部２３に表示させる。
【００５５】
履歴更新部１３５は、配信した広告の広告ＩＤと、配信日時と、所在地情報を設定したユーザＩＤと、居住地域と、広告配信サービスの会員ではないことを示す会員フラグとを含むレコードを履歴情報記憶部１２２に記憶されている配信履歴データに追加する（ステップＳ２７０）。居住地域は、ステップＳ２１５において受信した郵便番号、あるいは、地図情報記憶部１２３に記憶されている変換情報を用いて、ステップＳ２３０において得られた緯度及び経度から変換した郵便番号が設定される。
【００５６】
なお、ユーザが続けてステップＳ２５０において送信したリストの中から他の店舗の広告を閲覧する場合、ステップＳ２５５からの処理を繰り返す。
【００５７】
なお、ステップＳ２０５において、広告配信部１３３は、アクセス要求にユーザの所在地情報が付加されていると判断した場合（ステップＳ２０５：ＹＥＳ）、ステップＳ２４０からの処理を行なう。この場合、ステップＳ２７０において追加される配信履歴データの居住地域には、地図情報記憶部１２３に記憶されている変換情報を用いて、受信した所在地情報内の緯度及び経度から変換した郵便番号が設定される。
【００５８】
図１０〜図１７は、広告アクセス分析装置１における分析サービス処理フローを示す。
図１０において、広告主は、広告主端末３から広告アクセス分析装置１の広告主用サイトにアクセスし、入力部３２により店舗ＩＤと、送信指示を入力する。処理部３４は、店舗ＩＤ及び認証情報を広告アクセス分析装置１に送信する。広告アクセス分析装置１の分析部１３７は、広告主端末３から送信された店舗ＩＤ及び認証情報を受信する（ステップＳ３０５）。この受信した店舗ＩＤを受信店舗ＩＤと記載する。分析部１３７は、認証情報による認証が成功した場合、受信店舗ＩＤにより、管理情報記憶部１２１に記憶されている広告主データのレコードを特定し、特定したレコードから店舗の緯度及び経度、及び、商圏エリアを読み出す（ステップＳ３１０）。
【００５９】
分析部１３７は、広告主端末３に分析項目及び詳細分析項目の入力を指示する分析条件入力画面データを送信し、広告主端末３の表示部３３に表示させる（ステップＳ３１５）。広告主は、広告主端末３の入力部３２により、分析項目及び詳細分析項目を入力する。広告主端末３の処理部３４は、入力された分析項目及び詳細分析項目からなる分析条件を広告アクセス分析装置１に送信する。広告アクセス分析装置１の分析部１３７は、広告主端末３から分析条件を受信する（ステップＳ３２０）。分析部１３７は、分析項目の設定内容を判断する（ステップＳ３２５）。
【００６０】
図１１は、図１０のステップＳ３２５において、分析部１３７が、分析項目に「閲覧ユーザ数」が設定されていると判断したときの分析サービス処理フローを示す。
図１０のステップＳ３２５において、分析部１３７は、分析項目が「閲覧ユーザ数」であると判断した場合（ステップＳ３２５：閲覧ユーザ数）、図１０のステップＳ３１０において読み出した商圏エリアが示す郵便番号のいずれかが居住地域に設定されている配信履歴のデータレコードを抽出する（ステップＳ４０５）。
【００６１】
次に、分析部１３７は、詳細分析項目に広告ＩＤが設定されているかを判断する（ステップＳ４１０）。分析部１３７は、詳細分析項目に広告ＩＤが設定されていると判断した場合（ステップＳ４１０：ＹＥＳ）、ステップＳ４０５において抽出した配信履歴データのレコードのうち、詳細分析項目に設定されている広告ＩＤが設定されているレコードを分析対象とする（ステップＳ４１５）。一方、分析部１３７は、詳細分析項目に広告ＩＤが設定されていないと判断した場合（ステップＳ４１０：ＮＯ）、受信店舗ＩＤに対応した広告ＩＤを広告管理データから読み出し、ステップＳ４０５において抽出した配信履歴データのレコードのうち、読み出した広告ＩＤのいずれかが設定されているレコードを分析対象とする（ステップＳ４２０）。
【００６２】
続いて、分析部１３７は、詳細分析項目に期間が設定されていると判断した場合（ステップＳ４２５：ＹＥＳ）、ステップＳ４１５またはステップＳ４２０において分析対象とした配信履歴データのレコードのうち、この期間内の配信日時が設定されている配信履歴データのレコードを新たな分析対象とし（ステップＳ４３０）、ステップＳ４３５の処理を行なう。詳細分析項目に期間が設定されていないと判断した場合（ステップＳ４２５：ＮＯ）、分析部１３７はそのままステップＳ４３５の処理を行なう。ステップＳ４３５において、分析部１３７は、詳細分析項目に分析対象年齢、年代別、男女別、会員、非会員、全ユーザのうちいずれが対象ユーザとして設定されているかを判断する（ステップＳ４２０）。
【００６３】
分析部１３７は、詳細分析項目に分析対象年齢が設定されていると判断した場合（ステップＳ４３５：分析対象年齢）、分析対象の配信履歴データのレコードからユーザＩＤを読み出す。分析対象年齢には、例えば、３０代〜５０代などの年齢が設定される。分析部１３７は、読み出したユーザＩＤが設定されている会員データのレコードのうち、分析対象年齢に含まれる年齢が設定されているレコードを特定する（ステップＳ４４０）。分析部１３７は、特定した会員データのレコードの数を、当該レコードに設定されている郵便番号毎にカウントする（ステップＳ４４５）。これにより、店舗の商圏エリアに住んでいる分析対象年齢の会員のうち、当該店舗の広告、あるいは、店舗が指定した広告を閲覧した会員の人数が郵便番号毎に得られる。分析部１３７は、各郵便番号について得られた人数を分析結果出力部１３８に出力する。
【００６４】
分析結果出力部１３８は、各郵便番号について得られた人数に応じて当該郵便番号に対応した郵便番号区域の表示色を決定する（ステップＳ４５０）。分析結果出力部１３８は、図１０のステップＳ３１０において読み出した店舗の緯度及び経度を中心にした所定範囲の地図画像データを地図情報記憶部１２３から読み出す。所定範囲は、例えば、予め決められていてもよく、商圏エリアの郵便番号に対応した郵便番号区域が含まれる範囲としてもよい。さらに、分析結果出力部１３８は、地図情報記憶部１２３に記憶されている郵便番号区域地図情報から、分析部１３７より受信した郵便番号に対応した郵便番号区域の地図の画像上の領域を読み出す。分析結果出力部１３８は、地図画像データで示される地図画像上に、分析部１３７より受信した郵便番号に対応した郵便番号区域を、当該郵便番号区域について決定した表示色により表示させる分析結果表示画面データを生成し、広告主端末３に送信する（ステップＳ４５５）。広告主端末３の処理部３４は、表示部３３に受信した分析結果表示画面データを表示させる。
【００６５】
広告主が、広告主端末３の入力部３２により再び分析項目及び詳細分析項目を入力した場合、分析部１３７は、分析項目及び詳細分析項目を受信し（ステップＳ４６０：ＮＯ）、図１０のステップＳ３２０からの処理を繰り返す。広告主端末３から終了を受信した場合（ステップＳ４６０：ＹＥＳ）、分析部１３７は処理を終了する。
【００６６】
ステップＳ４３５において、分析部１３７は、詳細分析項目に「年代別」が設定されていると判断した場合（ステップＳ４３５：年代別）、分析対象の配信履歴データのレコードからユーザＩＤを読み出す。分析部１３７は、読み出したユーザＩＤが設定されている会員データのレコードを特定する。分析部１３７は、特定した会員データのレコードに設定されている郵便番号及び年齢を参照し、特定した会員データのレコード数を郵便番号及び年代の組み合わせ別にカウントする（ステップＳ４６５）。これにより、店舗の商圏エリアに住んでいる会員のうち、当該店舗の広告、あるいは、店舗が指定した広告を閲覧した会員の年代別の人数が郵便番号毎に得られる。分析部１３７は、郵便番号について得られた年代別の会員数を分析結果出力部１３８に出力する。
【００６７】
分析結果出力部１３８は、各郵便番号について得られた年代毎の会員数のグラフを生成する（ステップＳ４７０）。分析結果出力部１３８は、店舗の緯度及び経度を中心にした所定範囲の地図画像データを地図情報記憶部１２３から読み出す。さらに、分析結果出力部１３８は、地図情報記憶部１２３に記憶されている郵便番号区域地図情報から、分析部１３７より受信した郵便番号に対応した郵便番号区域の地図の画像上の領域を読み出す。分析結果出力部１３８は、地図画像データで示される地図画像における郵便番号区域上に、当該郵便番号区域について生成したグラフを表示させる分析結果表示画面データを生成し、広告主端末３に送信する（ステップＳ４７５）。広告主端末３の処理部３４は、表示部３３に受信した分析結果表示画面データを表示させる。広告アクセス分析装置１は、ステップＳ４６０からの処理を実行する。
【００６８】
ステップＳ４３５において、分析部１３７は、詳細分析項目に「男女別」が設定されていると判断した場合（ステップＳ４３５：男女別）、分析対象の配信履歴データのレコードからユーザＩＤを読み出す。分析部１３７は、読み出したユーザＩＤが設定されている会員データのレコードを特定する。分析部１３７は、特定した会員データのレコードに設定されている郵便番号及び性別を参照し、特定した会員データのレコード数を郵便番号及び性別の組別にカウントする（ステップＳ４８０）。これにより、店舗の商圏エリアに住んでいる会員のうち、当該店舗の広告、あるいは、店舗が指定した広告を閲覧した会員の男女別の人数が郵便番号毎に得られる。分析部１３７は、郵便番号について得られた男女別の会員数を分析結果出力部１３８に出力する。分析結果出力部１３８は、各郵便番号について得られた男女毎の会員数のグラフを生成すると（ステップＳ４８５）、ステップＳ４７５からの処理を行なう。
【００６９】
なお、ステップＳ４３５において、詳細分析項目に「分析対象年齢」及び「年代別」が設定されていると判断した場合、分析部１３７は、ステップＳ４４０を実行した後、ステップＳ４６５からの処理を行なう。この場合、店舗の商圏エリアに住んでいる分析対象年齢の会員の中で、当該店舗の広告、あるいは、店舗が指定した広告を閲覧した会員の年代別の人数が郵便番号毎に得られ、分析結果出力部１３８によりグラフ化される。
【００７０】
図１２は、図１１のステップＳ４３５において、分析部１３７が、詳細分析項目に「会員」、「非会員」または「全ユーザ」が設定されていると判断したときの分析サービス処理フローを示す。
図１１のステップＳ４３５において、分析部１３７は、詳細分析項目に「全ユーザ」が設定されていると判断した場合（ステップＳ４２５：全ユーザ）、分析対象の配信履歴データのレコードに設定されている郵便番号とユーザＩＤの組を抽出し、同じ郵便番号とユーザＩＤの組がある場合には１つのみを残す。そして、分析部１３７は、残っている郵便番号とユーザＩＤの組みに基づいて、郵便番号毎にユーザＩＤの数をカウントする（ステップＳ５０５）。これにより、店舗の商圏エリアに住んでおり、当該店舗の広告、あるいは、店舗が指定した広告を閲覧した全ユーザの人数が郵便番号毎に得られる。分析部１３７は、郵便番号について得られた人数を分析結果出力部１３８に出力する。広告アクセス分析装置１は、図１１のステップＳ４５０からの処理を実行する。
【００７１】
一方、図１１のステップＳ４３５において、分析部１３７は、詳細分析項目に「会員」が設定されていると判断した場合（ステップＳ４３５：会員）、分析対象の配信履歴データのレコードのうち、会員フラグが会員を示しているレコードのみを新たな分析対象のレコードとする（ステップＳ５１０）。分析部１３７は、新たな分析対象のレコードについて、ステップＳ５０５からの処理を行なう。この場合、ステップＳ５０５では、店舗の商圏エリアに住んでおり、当該店舗の広告、あるいは、店舗が指定した広告を閲覧した会員の人数が郵便番号毎に得られる。
【００７２】
また、図１１のステップＳ４３５において、分析部１３７は、詳細分析項目に「非会員」が設定されていると判断した場合（ステップＳ４３５：非会員）、分析対象の配信履歴データのレコードのうち、会員フラグが非会員を示しているレコードのみを新たな分析対象のレコードとする（ステップＳ５１５）。分析部１３７は、新たな分析対象のレコードについて、ステップＳ５０５からの処理を行なう。この場合、ステップＳ５０５では、店舗の商圏エリアに住んでおり、当該店舗の広告、あるいは、店舗が指定した広告を閲覧した非会員の人数が郵便番号毎に得られる。
【００７３】
図１３は、図１０のステップＳ３２５において、分析部１３７が、分析項目に「閲覧数」が設定されていると判断したときの分析サービス処理フローを示す。
図１０のステップＳ３２５において、分析部１３７は、分析項目が「閲覧数」であると判断した場合（ステップＳ３２０：閲覧数）、続いて、詳細分析項目に期間が設定されているかを判断する（ステップＳ６０５）。分析部１３７は、詳細分析項目に期間が設定されていると判断した場合（ステップＳ６０５：ＹＥＳ）、配信履歴データのレコードのうち、詳細分析項目に設定されている期間内の配信日時が設定されている配信履歴データのレコードのみを新たな分析対象とする（ステップＳ６１０）。詳細分析項目に期間が設定されていないと判断した場合（ステップＳ６１０：ＮＯ）、配信履歴データの全レコードを分析対象とする。分析部１３７は、詳細分析項目に会員、非会員、全ユーザのうちいずれが対象ユーザとして設定されているかを判断する（ステップＳ６１５）。
【００７４】
分析部１３７は、詳細分析項目に「会員」が設定されていると判断した場合（ステップＳ６１５：会員）、分析対象の配信履歴データのレコードのうち、会員を示す会員フラグが設定されており、かつ、図１０のステップ３１０において読み出した商圏エリアに含まれるいずれかの郵便番号が居住地域に設定されているレコードを新たな分析対象のレコードとする（ステップＳ６２０）。なお、分析対象閲覧数は、１〜５回や、１０回以上などの範囲を設定することが可能である。
【００７５】
一方、ステップＳ６１５において、分析部１３７は、詳細分析項目に「非会員」が設定されていると判断した場合（ステップＳ６０５：非会員）、分析対象の配信履歴データのレコードのうち、非会員を示す会員フラグが設定されており、かつ、図１０のステップ３１０において読み出した商圏エリアに含まれるいずれかの郵便番号が居住地域に設定されているレコードを新たな分析対象のレコードとする（ステップＳ６２５）。
【００７６】
また、ステップＳ６１５において、分析部１３７は、詳細分析項目に「全ユーザ」が設定されていると判断した場合（ステップＳ６１５：全ユーザ）、分析対象の配信履歴データのレコードのうち、図１０のステップ３１０において読み出した商圏エリアに含まれるいずれかの郵便番号が居住地域に設定されているレコードを新たな分析対象のレコードとする（ステップＳ６３０）。
【００７７】
分析部１３７は、ステップＳ６２０、Ｓ６２５、または、Ｓ６３０において得られた分析対象の配信履歴データのレコードをユーザＩＤによりソートし、同じユーザＩＤが設定されているレコード数をカウントする（ステップＳ６３５）。これによって、各ユーザＩＤにより特定されるユーザの広告データの閲覧数が得られる。
【００７８】
分析部１３７は、詳細分析項目に分析対象閲覧数が設定されていると判断した場合（ステップＳ６４０：ＹＥＳ）、ステップＳ６３５において得られた広告データの閲覧数が分析対象閲覧数に合致するユーザＩＤを抽出する。分析部１３７は、抽出したユーザＩＤに対応した郵便番号を、分析対象の配信履歴データのレコード、あるいは、会員データのレコードから取得すると、抽出したユーザＩＤの数を郵便番号毎にカウントする（ステップＳ６４５）。分析部１３７は、郵便番号について得られた人数を分析結果出力部１３８に出力する。広告アクセス分析装置１は、図１１のステップＳ４５０からの処理を実行する。
【００７９】
一方、ステップＳ６４０において、分析部１３７は、詳細分析項目に分析対象閲覧数が設定されていないと判断した場合（ステップＳ６４０：ＮＯ）、郵便番号毎に、ステップＳ６３５において得られた広告データの閲覧数別に（例えば、１〜４回、５〜９回、１０〜１９回、２０回以上など）ユーザＩＤの数をカウントする（ステップＳ６５０）。分析部１３７は、各郵便番号毎に、閲覧数別のユーザ数のグラフを生成し、分析結果出力部１３８に出力する（ステップＳ６５５）。分析結果出力部１３８は、図１１のステップＳ４７５からの処理を実行する。
【００８０】
図１４は、図１０のステップＳ３２５において、分析部１３７が、分析項目に「閲覧間隔」が設定されていると判断したときの分析サービス処理フローを示す。
図１０のステップＳ３２５において、分析部１３７は、分析項目が「閲覧間隔」であると判断した場合（ステップＳ３２５：閲覧数）、詳細分析項目に会員、非会員、全ユーザのうちいずれが対象ユーザとして設定されているかを判断する（ステップＳ７０５）。
【００８１】
分析部１３７は、詳細分析項目に「会員」が設定されていると判断した場合（ステップＳ７０５：会員）、配信履歴データのレコードのうち、会員を示す会員フラグが設定されており、かつ、図１０のステップ３１０において読み出した商圏エリアに含まれるいずれかの郵便番号が居住地域に設定されているレコードを分析対象のレコードとする（ステップＳ７１０）。
【００８２】
一方、ステップＳ７０５において、分析部１３７は、詳細分析項目に「非会員」が設定されていると判断した場合（ステップＳ７０５：非会員）、配信履歴データのレコードのうち、非会員を示す会員フラグが設定されており、かつ、図１０のステップ３１０において読み出した商圏エリアに含まれるいずれかの郵便番号が居住地域に設定されているレコードを分析対象のレコードとする（ステップＳ７１５）。
【００８３】
また、ステップＳ６１５において、分析部１３７は、詳細分析項目に「全ユーザ」が設定されていると判断した場合（ステップＳ６１５：全ユーザ）、配信履歴データのレコードのうち、図１０のステップ３１０において読み出した商圏エリアに含まれるいずれかの郵便番号が居住地域に設定されているレコードを分析対象のレコードとする（ステップＳ７２０）。
【００８４】
分析部１３７は、分析対象の配信履歴データのレコードに設定されているユーザＩＤ及び配信日時を参照し、各ユーザＩＤについて配信日時が所定時間内（例えば、３時間以内など）に含まれるレコード群に分割する。そして、ユーザＩＤ毎に、最も配信日時が新しいレコード群から得られた配信日時、次に配信日時が新しいレコード群から得られた配信日時との差から閲覧間隔を算出する（ステップＳ７２５）。算出した閲覧間隔は、最近広告配信サービスを利用したときと、その直前に広告配信サービスを利用したときの間隔を示す。なお、レコード群から配信日時を得る際は、当該レコード群内において最も新しい配信日時、あるいは、最も古い配信日時のいずれを用いてもよい。分析部１３７は、各ユーザＩＤについて閲覧間隔を算出する。
【００８５】
分析部１３７は、詳細分析項目に分析対象閲覧間隔が設定されていると判断した場合（ステップＳ７３０：ＹＥＳ）、ステップＳ７２５において得られた広告データの閲覧間隔が分析対象閲覧間隔に合致するユーザＩＤを抽出する。分析部１３７は、抽出したユーザＩＤに対応した郵便番号を、分析対象の配信履歴データのレコード、あるいは、会員データのレコードから取得すると、抽出したユーザＩＤの数を郵便番号毎にカウントする（ステップＳ７３５）。分析部１３７は、郵便番号について得られた人数を分析結果出力部１３８に出力する。広告アクセス分析装置１は、図１１のステップＳ４５０からの処理を実行する。
【００８６】
分析部１３７は、詳細分析項目に分析対象閲覧間隔が設定されていないと判断した場合（ステップＳ７３０：ＮＯ）、分析部１３７は、ユーザＩＤに対応した郵便番号を、分析対象の配信履歴データのレコード、あるいは、会員データのレコードから取得する。分析部１３７は、郵便番号毎に、ステップＳ７２５において得られた広告データの閲覧間隔別にユーザＩＤの数をカウントする（ステップＳ６４０）。分析部１３７は、郵便番号毎に、閲覧間隔別のユーザ数のグラフを生成し、分析結果出力部１３８に出力する（ステップＳ７４５）。分析結果出力部１３８は、図１１のステップＳ４７５からの処理を実行する。
【００８７】
図１５は、図１０のステップＳ３２５において、分析部１３７が、分析項目に「お気に入り登録」が設定されていると判断したときの分析サービス処理フローを示す。
図１０のステップＳ３２５において、分析部１３７は、分析項目が「お気に入り登録」であると判断した場合（ステップＳ３２５：お気に入り登録）、管理情報記憶部１２１に記憶されている会員データから、お気に入り登録店舗に受信店舗ＩＤが設定されており、かつ、図１０のステップ３１０において読み出した商圏エリアに含まれるいずれかの郵便番号が設定されているレコードを特定する（ステップＳ７０５）。分析部１３７は、特定した会員データのレコードの数を、当該レコードに設定されている郵便番号毎にカウントする（ステップＳ７１０）。これにより、店舗の商圏エリアに住んでいる会員のうち、当該店舗をお気に入り登録している会員の人数が郵便番号毎に得られる。分析部１３７は、各郵便番号について得られた会員数を分析結果出力部１３８に出力する。広告アクセス分析装置１は、図１１のステップＳ３６０からの処理を実行する。
【００８８】
図１６は、図１０のステップＳ３２５において、分析部１３７が、分析項目に「クーポン利用」が設定されていると判断したときの分析サービス処理フローを示す。
図１０のステップＳ３２５において、分析部１３７は、分析項目が「クーポン利用」であると判断した場合（ステップＳ３２５：クーポン利用）、詳細分析項目に期間が設定されているかを判断する（ステップＳ９０５）。分析部１３７は、期間が設定されていると判断した場合（ステップＳ９０５：ＹＥＳ）、クーポン発行履歴データのレコードのうち、発行日時が詳細分析項目に設定されている期間内のレコードを分析対象とする（ステップＳ９１０）。なお、分析部１３７は、期間が設定されていないと判断した場合（ステップＳ９０５：ＮＯ）、全てのクーポン発行履歴データのレコードを分析対象とする。
【００８９】
分析部１３７は、分析対象のクーポン発行履歴データのレコードのうち、発行店舗に受信店舗ＩＤが設定されているレコードから会員ＩＤを読み出す（ステップＳ９１５）。分析部１３７は、ステップＳ９１５において読み出した会員ＩＤが設定されており、かつ、図１０のステップ３１０において読み出した商圏エリアに含まれるいずれかの郵便番号が設定されている会員データのレコードを特定する（ステップＳ９２０）。分析部１３７は、特定した会員データのレコードの数を、当該レコードに設定されている郵便番号毎にカウントする（ステップＳ９２５）。これにより、店舗の商圏エリアに住んでいる会員のうち、当該店舗でクーポンを発行した会員の人数が郵便番号毎に得られる。分析部１３７は、各郵便番号について得られた会員数を分析結果出力部１３８に出力する。広告アクセス分析装置１は、図１１のステップＳ４５０からの処理を実行する。
【００９０】
図１７は、図１０のステップＳ３２５において、分析部１３７が、分析項目に「店舗利用」が設定されていると判断したときの分析サービス処理フローを示す。
図１０のステップＳ３２５において、分析部１３７は、分析項目が「店舗利用」であると判断した場合（ステップＳ３２５店舗利用）、詳細分析項目に期間が設定されているかを判断する（ステップＳ１１０５）。分析部１３７は、期間が設定されていると判断した場合（ステップＳ１１０５：ＹＥＳ）、買い物履歴データのレコードのうち、買い物日時が詳細分析項目に設定されている期間内のレコードを分析対象とする（ステップＳ１０１０）。なお、分析部１３７は、期間が設定されていないと判断した場合（ステップＳ１００５：ＮＯ）、全ての買い物履歴データのレコードを分析対象とする。
【００９１】
分析部１３７は、分析対象の買い物履歴データのレコードうち、買い物舗に受信店舗ＩＤが設定されている買い物履歴データのレコードから店舗カード番号を読み出す（ステップＳ１０１５）。分析部１３７は、ステップＳ１００５において読み出した店舗カード番号が設定されており、かつ、図１０のステップ３１０において読み出した商圏エリアに含まれるいずれかの郵便番号が設定されている会員データのレコードを特定する（ステップＳ１０２０）。分析部１３７は、特定した会員データのレコードの数を、当該レコードに設定されている郵便番号毎にカウントする（ステップＳ１０２５）。これにより、店舗の商圏エリアに住んでいる会員のうち、当該店舗を利用した店舗会員の人数が郵便番号毎に得られる。分析部１３７は、各郵便番号について得られた会員数を分析結果出力部１３８に出力する。広告アクセス分析装置１は、図１１のステップＳ４５０からの処理を実行する。
【００９２】
以上、広告アクセス分析装置１の分析サービス処理フローを説明したが、分析結果出力部１３８は、図１１のステップＳ４５０において各郵便番号の人数に対応した表示色を決定する場合、例えば、各郵便番号についての人数の平均からの乖離に応じて表示色を決定したり、各郵便番号に対応した人数の合計に対する割合によって決定したり、予め決められた段階的な閾値に応じて決定したりすることができる。
また、図１１のステップＳ４５０において、分析結果出力部１３８は、地図画像上に、郵便番号に対応した郵便番号区域に、当該郵便番号について得られた人数をさらに表示させる分析結果表示画面データを生成してもよい。あるいは、当該郵便番号について得られた人数を、基礎統計情報により示される当該郵便番号に対応した郵便番号区域の人口により除算した値を出力してもよい。
【００９３】
また、分析結果出力部１３８は、図１１のステップＳ４７０、Ｓ４８５、図１３のステップＳ６５５、図１４のステップＳ７４５においてグラフを生成する場合、円グラフ、棒グラフなど任意のグラフとすることができる。
また、分析結果出力部１３８は、ステップＳ４７０、Ｓ４８５、図１３のステップＳ６５５、図１４のステップＳ７４５において、分析部１３７は、郵便番号毎に集計した各分析項目の人数を分析結果出力部１３８に出力してもよい。この場合、分析結果出力部１３８は、地図画像上に、郵便番号に対応した郵便番号区域に、当該郵便番号について得られた項目毎の人数をさらに表示させる分析結果表示画面データを生成する。項目は、ステップＳ４７０の場合は年代、ステップＳ４８５の場合は性別、ステップＳ６５５の場合は閲覧数、ステップＳ７４５については閲覧間隔である。また、当該郵便番号について得られた人数を、基礎統計情報により示される当該郵便番号に対応した郵便番号区域の人口により除算した値を出力してもよい。なお、項目が性別である場合、基礎統計情報により示される当該郵便番号に対応した郵便番号区域の当該性別の人口によって除算する。
【００９４】
また、詳細分析項目に２以上の期間を設定することも可能である。この場合、分析部１３７は、期間以外の分析項目及び詳細分析項目は同様であるものとしてそれぞれの期間についての分析を行う。分析部１３７は、それぞれの期間について得られた分析結果の変化を郵便番号毎に求め、分析結果出力部１３８は、地図画面上に、その変化を郵便番号に対応した郵便番号領域に色やグラフ、数値によって示す分析結果表示画面データを生成する。
【００９５】
また、分析結果出力部１３８は、２以上の分析条件を受信し、異なる分析条件を用いた分析部１３７による分析結果を同時に分析結果表示画面に表示させてもよい。
【００９６】
また、分析結果出力部１３８は、地図画面上の位置にユーザの所在をプロットした分析結果表示画面を生成してもよい。分析部１３７は、ユーザが会員の場合、会員データから住所を読み出し、住所を緯度及び経度に変換する。ユーザが非会員の場合、履歴データに設定されているユーザＩＤからユーザの住所の緯度及び経度を読み出す。分析結果出力部１３８は、分析部１３７から入力された緯度及び経度に対応した地図の画面上の位置に、ユーザの住所を示す所定のマークを表示した分析結果表示画面データを生成する。
【００９７】
図１８〜図２１は、広告主端末３に表示される分析結果表示画面の表示イメージを示す図である。
図１８は、分析項目が閲覧ユーザ数であり、詳細分析項目に期間、対象ユーザが指定されている場合の分析結果表示画面を示す。
分析条件入力領域Ｇ１には、広告主がチェックボックスにより分析項目や詳細分析項目を選択するためのチェックボックスが表示されている。分析条件入力領域Ｇ１は、図１０のステップＳ３１５において広告主端末３に表示される分析条件入力画面データに含まれる。同図においては、チラシ閲覧者（会員・非会員）のチェックボックスにチェックがされており、分析項目「閲覧ユーザ数」、詳細分析項目の対象ユーザ「全ユーザ」に対応する。また、チェックボックスにチェックがされている日付は、詳細分析項目の期間に対応する。
【００９８】
分析結果表示領域Ｇ２には、店舗の緯度及び経度を中心とした地図画像上に、指定された分析条件による分析結果を、郵便番号区域毎に表示色により示している。表示画面Ｇ２では、閲覧ユーザ数に対応させて、郵便番号区域の表示色を赤から黄色までの４段階のグラデーションにより示している。
分析結果表示領域Ｇ２では、閲覧ユーザ数が線路の北東側は多く、南西側が少ないことが示されている。これによって、線路をはさんで自店舗側に住んでいるユーザは自店舗の広告に興味を持っており、線路の向こう側に住んでいるユーザは、自店舗の広告への興味が比較的薄いことがわかる。また、店舗の近くに住んでいるほど、自店舗の広告へ興味があるユーザが多いことがわかる。また、競合店舗付近は、自店舗の広告の閲覧者が少ないことがわかる。
【００９９】
図１９は、分析項目が閲覧ユーザ数であり、詳細分析項目に２つの期間と、対象ユーザが指定されている場合の分析結果表示画面を示す。
分析条件入力領域Ｇ３には、会員ランクの変化に対応するチェックボックスにチェックがされており、分析項目に「閲覧ユーザ数」が、詳細分析項目に対象ユーザ「会員」とロイヤリティ会員と判断される「分析対象閲覧数」と、２つの期間が設定されている場合に対応する。期間は、チェックボックスにチェックがされている日付、及び、この日付から所定期間前の日付となる。広告アクセス分析装置１の分析部１３７は、詳細分析項目に設定されている２つの期間それぞれについて分析を行い、各郵便番号別の会員の人数を得る。そして、その人数からＡ，Ｂ，Ｃ，の３つのランクいずれに該当するかを決定し、さらに、郵便番号毎に、２つの期間でランクがどのように変化したかを判断し、分析結果出力部１３８に出力する。分析結果出力部１３８は、各郵便番号に対応したランクの変化から、表示色を決定する。分析結果出力部１３８は、地図画像データで示される地図画像上に、分析部１３７より受信した郵便番号に対応した郵便番号区域を、当該郵便番号区域について決定した表示色により表示させる分析結果表示画面データを生成する。
【０１００】
分析結果表示領域Ｇ４では、店舗の緯度及び経度を中心とした地図画像上に、指定された分析条件による分析結果の変化を郵便番号区域毎に表示色により示している。表示色は、前回のランクが高いほうから赤、黄、青の３つとし、また、今回のランクが高いほどそれらを濃い色としている。
これにより例えば、販促を行なった地域について、会員ランクの変化を確認することによって、販促の効果を確認することができる。
【０１０１】
図２０は、複数の分析条件による分析結果を１つの分析結果表示画面により表示している例である。分析結果表示画面Ｇ５においては、分析項目「閲覧ユーザ数」、詳細分析項目「全ユーザ」についての分析結果を郵便番号領域の表示色として表示しながら、分析項目「閲覧ユーザ数」、詳細分析項目「会員」と、分析項目「閲覧ユーザ数」、詳細分析項目「非会員」と、分析項目「閲覧ユーザ数」、詳細分析項目「年代別」についての析結果を数値により表示している。分析結果表示画面Ｇ５においては、この表示を、ポインタにより指定されている郵便番号区域に対応した郵便番号についてのみ行なっている。また、分析項目「閲覧ユーザ数」、詳細分析項目「年代別」についての分析結果が、郵便番号領域に棒グラフによってしめされている。
【０１０２】
図２１は、分析項目がクーポン利用であり、詳細分析項目に期間、対象ユーザが指定されている場合の分析結果表示画面を示す。分析結果表示画面Ｇ６においては、店舗でクーポンを利用した会員の住所を、店舗の緯度及び経度を中心とした地図画像上に表示している。
この場合、広告アクセス分析装置１の分析部１３７は、ステップＳ９２０において特定した会員データのレコードから住所の情報を読み出し、読み出した住所を地図情報記憶部１２３に記憶されている変換情報を用いて緯度及び経度の情報に変換し、分析結果出力部１３８に出力する。分析結果出力部１３８は、分析部１３７から入力された緯度及び経度に対応した地図の画面上の位置に、ユーザの住所を示す所定のマークを表示した分析結果表示画面データを生成する。
【０１０３】
次に、他の実施形態の広告アクセス分析システムについて説明する。以下では、上述した実施形態との差分のみ示す。
【０１０４】
図２２は、他の実施形態に広告アクセス分析システムの構成を示す機能ブロック図である。この図において、図１に示す広告アクセス分析システムと同一の部分には同一の符号を付し、その説明を省略する。
図２２に示す広告アクセス分析システムは、図１に示す広告アクセス分析装置１を、広告アクセス分析装置１ａと分析結果出力装置６により実現している。同図に示す広告アクセス分析装置１ａが、図１に示す広告アクセス分析装置１と異なる点は、広告アクセス分析装置１の処理部１３に代えて、処理部１３から分析結果出力部１３８を除いた構成である処理部１３ａを備える点である。
【０１０５】
分析結果出力装置６は、通信部６１、記憶部６２、及び、分析結果出力部１３８ａを備える。通信部６１は、ネットワークＮを介して情報を送受信する。記憶部６２は、地図画像データ、郵便番号区域地図情報を記憶する。分析結果出力部１３８ａは、広告アクセス分析装置１ａの分析部１３７から分析結果を受信し、図１に示す広告アクセス分析装置１の分析結果出力部１３８と同様の処理を行なう。分析結果とは、図１１のステップＳ４４５、図１２のステップＳ５０５、図１３のステップＳ６４５、図１４のステップＳ７３５、図１５のステップＳ８１０、図１６のステップＳ９２５、または、図１７のステップＳ１０２５において郵便番号毎にカウントしたユーザの人数、あるいは、図１１のステップＳ４６５において郵便番号別にカウントした年代別のユーザの人数、図１１のステップＳ４８０において郵便番号別にカウントした男女別のユーザの人数、図１３のステップＳ６５０において郵便番号別にカウントした閲覧数別のユーザの人数、図１４のステップＳ７４０において郵便番号別にカウントした閲覧間隔別のユーザの人数である。但し、分析結果出力部１３８ａは、地図情報記憶部１２３に記憶されている地図画像データ、郵便番号区域地図情報の代わりに、記憶部６１に記憶されている地図画像データ、郵便番号区域地図情報を参照する。
【０１０６】
図２３は、広告アクセス分析装置１ａの分析部１３７から分析結果出力装置６に送信される分析結果の例を示す図である。同図では、図１１のステップＳ４６５において郵便番号別にカウントした年代別の人数を出力する場合を示しており、店舗名が付加されている。各エリアＡ、Ｂ、Ｃ、Ｄ…は、郵便番号に対応している。
【０１０７】
図２２に示す広告アクセス分析システムでは、広告アクセス分析装置１ａの分析部１３７が広告主端末３から店舗ＩＤ及び分析条件を受信してもよく、分析結果出力装置６の分析結果出力部１３８ａが広告主端末３から店舗ＩＤ及び分析条件を受信し、受信した店舗ＩＤ及び分析条件を広告アクセス分析装置１ａに送信してもよい。これによって、広告アクセス分析装置１ａの分析部１３７は、分析結果出力装置６から受信した店舗ＩＤ及び分析条件によって、広告アクセス分析装置１の分析部１３７と同様の処理を行なう。
【０１０８】
また、広告アクセス分析装置１ａの分析部１３７は、広告主端末３から直接、または、分析結果出力装置６を介して店舗ＩＤ及び分析要求を受信してもよい。この場合、広告アクセス分析装置１ａの分析部１３７は、受信した店舗ＩＤと、予め決められた複数の分析条件それぞれを用いて得られた分析結果を分析結果出力装置６に出力する。あるいは、広告アクセス分析装置１ａの分析部１３７は、１日に１回など所定の時間毎に、各店舗ＩＤについて、予め決められた複数の分析条件それぞれを用いて得た分析結果を分析結果出力装置６に送信してもよい。
分析結果出力装置６の分析結果出力部１３８ａは、広告アクセス分析装置１ａから受信した分析結果のうち、広告主端末３から受信した分析条件に対応した分析結果を表示するための分析結果表示画面データを生成する。また、広告主端末３が予め決められた分析条件とは異なる分析条件を送信した場合、広告アクセス分析装置１ａの分析部１３７は、広告主端末３から直接、または、分析結果出力装置６を介して受信した店舗ＩＤ及び分析条件により得た分析結果を分析結果出力装置６に出力する。分析結果出力装置６は、広告アクセス分析装置１ａから受信した分析結果を表示するための分析結果表示画面データを生成する。
【０１０９】
このように、広告アクセス分析装置１ａと分析結果出力装置６を別の装置により実現することで、ユーザの履歴に関する情報や、会員に関する情報を保持し、これらの情報を参照しながら分析を行なう装置と、広告主端末３へ分析結果表示画像を提供する装置とが分離され、個人情報のデータの安全性を高めることができる。
【０１１０】
なお、上記各実施形態においては、郵便番号区域単位として分析を行なっているが、ユーザが任意に設定した区域を単位として分析を行なってもよい。
また、広告アクセス分析装置１は、自装置が備える入力部によって入力された店舗ＩＤ、分析項目及び詳細条件により、上述した分析サービス処理を実行してもよい。この場合、広告アクセス分析装置１は、自装置が備える表示部に分析結果表示画面データを表示させる。
【０１１１】
また、図１に示す広告アクセス分析装置１の分析部１３７は、１日に１回など所定の時間毎に、各店舗ＩＤについて、予め決められた複数の分析条件それぞれを用いて得た分析結果を生成し、記憶部１２に書き込んでもよい。広告アクセス分析装置１の分析結果出力部１３８は、記憶部１２に記憶されている分析結果のうち、広告主端末３から受信した分析条件に対応した分析結果を表示するための分析結果表示画面データを生成する。そして、広告主端末３から予め決められた分析条件とは異なる分析条件を送信した場合、広告アクセス分析装置１の分析部１３７は、広告主端末３から受信した店舗ＩＤ及び分析条件により図１０のステップＳ３２０以降の処理を行なう。
【０１１２】
上記各実施形態によれば、各店舗に、商圏エリアにおける広告配信の利用状況を提供する。これによって、各店舗は、商圏エリア毎に、どのように消費者へインセンティブを提供するかなど、効果的な広告へのコスト配分を決定するための参考とすることができる。例えば、店舗は、広告データを閲覧している人数や割合の多いエリアには、折込チラシの配付を中止するなどして、広告コストを低減することができる。また、広告データを閲覧しているユーザのうち会員との割合が少ないエリアについては、非会員であるユーザのユーザ端末に、クーポンの提供などの画像データを表示させ、会員登録を促すことが可能となる。
【０１１３】
なお、上述の広告アクセス分析装置１、広告アクセス分析装置１ａ、ユーザ端末２、広告主端末３、分析結果出力装置６は、内部にコンピュータシステムを有している。そして、広告アクセス分析装置１の処理部１３、広告アクセス分析装置１ａの処理部１３ａ、ユーザ端末２の処理部２４、広告主端末３の処理部３４、及び、分析結果出力装置６の分析結果出力部１３８ａの動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【０１１４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【符号の説明】
【０１１５】
１、１ａ…広告アクセス分析装置
１１、２１、３１、６１…通信部
１２、２５、６２…記憶部
１３、１３ａ、２４、３４…処理部
１３１…会員登録部
１３２…所在地取得部
１３３…広告配信部
１３４…クーポン引換部
１３５…履歴更新部
１３６…履歴受信部
１３７…分析部
１３８、１３８ａ…分析結果出力部
２…ユーザ端末
２２、３２…入力部
２３、３３…表示部
３…広告主端末
４…クーポン発行端末
５…ＰＯＳシステム
６…分析結果出力装置
【図１】
0005625760.tif 000002
【図２】
0005625760.tif 000003
【図３】
0005625760.tif 000004
【図４】
0005625760.tif 000005
【図５】
0005625760.tif 000006
【図６】
0005625760.tif 000007
【図７】
0005625760.tif 000008
【図８】
0005625760.tif 000009
【図９】
0005625760.tif 000010
【図１０】
0005625760.tif 000011
【図１１】
0005625760.tif 000012
【図１２】
0005625760.tif 000013
【図１３】
0005625760.tif 000014
【図１４】
0005625760.tif 000015
【図１５】
0005625760.tif 000016
【図１６】
0005625760.tif 000017
【図１７】
0005625760.tif 000018
【図２２】
0005625760.tif 000019
【図２３】
0005625760.tif 000020
【図１８】
0005625760.tif 000021
【図１９】
0005625760.tif 000022
【図２０】
0005625760.tif 000023
【図２１】
0005625760.tif 000024